(57)【要約】【課題】画像形成装置に外力がかかって支持装置が塑性変形した場合であっても、塑性変形した支持装置によってユーザの動作が阻害されることを抑制できる支持装置を提供する。【解決手段】転倒防止装置７０において、装置本体３０の底面に装着される装着部である第二曲げ部７４と、金属板で形成され、画像形成装置Ａの設置面と対向する対向部７２と、対向部７２に対して鉛直方向上側に延び、かつ水平方向において装置本体３０の底面の外郭よりも外側に突出する、金属板からなる傾斜エッジ７３ａと、少なくとも傾斜エッジ７３ａを覆う樹脂からなるカバー部材９０と、を備える。【選択図】図３
2020040308.tif 000002
【特許請求の範囲】
【請求項１】
画像形成装置の装置本体の底面に装着され、画像形成装置が設置される設置面に接触して画像形成装置を支持する支持装置であって、
前記装置本体の底面に装着される装着部と、
金属板で形成され、前記設置面と対向する対向部と、
前記対向部に対して鉛直方向上側に延び、かつ水平方向において前記装置本体の底面の外郭よりも外側に突出する、金属板からなる突出部と、
少なくとも前記突出部を覆う樹脂からなるカバー部材と、
を備えることを特徴とする支持装置。
【請求項２】
前記金属板は、前記対向部の両端部がそれぞれ略垂直に曲げられた一対の第１曲げ部と、前記対向部に対して平行になるように前記一対の第１曲げ部に対してそれぞれ曲げられた第２曲げ部と、を有し、
前記装着部は、前記第２曲げ部に設けられることを特徴とする請求項１に記載の支持装置。
【請求項３】
前記突出部は、前記一対の第１曲げ部において前記装置本体の底面の外郭よりも外側に突出する位置に形成された前記金属板の面が連続しない領域であり、水平面に対して傾斜した傾斜していることを特徴とする請求項２に記載の支持装置。
【請求項４】
前記第２曲げ部には、前記装置本体における前記支持装置が装着される被装着部に設けられたスナップフィット部が係合するための係合孔が設けられていることを特徴とする請求項２又は３に記載の支持装置。
【請求項５】
前記金属板における前記一対の第１曲げ部の内側に設けられ、前記一対の第１曲げ部に連結される他の金属板をさらに備え、
前記カバー部材は、前記突出部と前記他の金属板を覆うことを特徴とする請求項２乃至４のいずれか１項に記載の支持装置。
【請求項６】
前記カバー部材は、内面に複数のリブが設けられており、該リブは、前記金属板の前記第１曲げ部を外側から挟み込むことを特徴とする請求項２乃至５のいずれか１項に記載の支持装置。
【請求項７】
画像を形成する画像形成部と、
装置本体の底面の被装着部に装着された請求項１乃至６のいずれか１項に記載の支持装置と、
を備えることを特徴とする画像形成装置。
【発明の詳細な説明】
【技術分野】
【０００１】
本発明は、電子写真複写機、電子写真プリンタなどの画像形成装置を支持する支持装置に関する。
【背景技術】
【０００２】
画像形成装置においては、装置を支持し、装置の転倒を防止するための支持装置を装着可能な構成が知られている。例えば特許文献１では、画像形成装置の側面に対して、支持装置として鋼板で形成された支持脚の一端部を装着し、支持脚の他端部を床面に接触させることで画像形成装置の転倒を防止する構成が記載されている。
【先行技術文献】
【特許文献】
【０００３】
【特許文献１】特開２００９−１５７１５２号公報
【発明の概要】
【発明が解決しようとする課題】
【０００４】
しかし特許文献１に記載の構成では、画像形成装置に想定外の過度な外力がかかる場合、支持脚のエッジ部分が塑性変形し、塑性変形した部分にユーザの衣服等が引っ掛かるおそれがある。この場合、ユーザの動作を阻害するおそれがある。
【０００５】
そこで本発明はこのような現状に鑑み、画像形成装置に想定外の外力がかかって支持装置が塑性変形した場合であっても、塑性変形した支持装置によってユーザの動作が阻害されることを抑制できる支持装置を提供することを目的とする。
【課題を解決するための手段】
【０００６】
上記目的を達成するための本発明に係る支持装置の代表的な構成は、画像形成装置の装置本体の底面に装着され、画像形成装置が設置される設置面に接触して画像形成装置を支持する支持装置であって、前記装置本体の底面に装着される装着部と、金属板で形成され、前記設置面と対向する対向部と、前記対向部に対して鉛直方向上側に延び、かつ水平方向において前記装置本体の底面の外郭よりも外側に突出する、金属板からなる突出部と、少なくとも前記突出部を覆う樹脂からなるカバー部材と、を備えることを特徴とする。
【発明の効果】
【０００７】
本発明によれば、支持装置において、画像形成装置に外力がかかって支持装置が塑性変形した場合であっても、塑性変形した支持装置によってユーザの動作が阻害されることを抑制できる。
【図面の簡単な説明】
【０００８】
【図１】画像形成装置の斜視概略図である。
【図２】転倒防止装置の斜視図である。
【図３】転倒防止装置の分解斜視図である。
【図４】メイン鋼板にサブ鋼板を組み付けた状態の図である。
【図５】カバー部材を底面側から見た斜視図である。
【図６】ペディスタルユニットと転倒防止装置の斜視概略図である。
【図７】ペディスタルユニットに装着される際の転倒防止装置の拡大斜視図である。
【図８】ペディスタルユニットと転倒防止装置の断面図である。
【図９】画像形成装置に力が付与されたときの転倒防止装置の挙動を示す模式図である。
【発明を実施するための形態】
【０００９】
（第１実施形態）
＜画像形成装置＞
以下、本発明の第１実施形態に係る支持装置を備える画像形成装置の全体構成を画像形成時の動作とともに図面を参照しながら説明する。なお、以下に記載されている構成部品の寸法、材質、形状、その相対配置などは、特に特定的な記載がない限りは、この発明の範囲をそれらのみに限定する趣旨のものではない。
【００１０】
本実施形態に係る画像形成装置は、イエローＹ、マゼンダＭ、シアンＣ、ブラックＫの４色のトナーを中間転写ベルトに転写した後、シートに画像を転写して画像を形成する電子写真方式の画像形成装置である。なお、以下の説明において、上記各色のトナーを使用する部材には添え字としてＹ、Ｍ、Ｃ、Ｋを付するものの、各部材の構成や動作は使用するトナーの色が異なることを除いて実質的に同じであるため、区別を要する場合以外は添え字を適宜省略する。
【００１１】
図１、画像形成装置の断面概略図である。図１に示す様に、画像形成装置Ａは、シートにトナー像を転写して画像を形成する画像形成部と、画像形成部に向けてシートを供給するシート給送部と、シートにトナー像を定着させる定着部を備える。
【００１２】
また画像形成装置Ａは、その装置本体３０に対して、回動軸６１を中心に回動することで開閉可能な開閉カバー６０を備える。開閉カバー６０は、シートＳの両面に画像を形成する際のシートＳの搬送経路となる両面搬送路１６や二次転写ローラ９が支持されている。開閉カバー６０を開くと、シートＳの搬送路が外部に露出するため、シートＳのジャムが発生した際に開閉カバー６０を開くことでシートＳを取り除きやすくなる。
【００１３】
また画像形成装置Ａの下部には、画像形成部に向けてシートＳを給送するペディスタルユニット２０が搭載されている。つまり装置本体３０とは、ペディスタルユニット２０を含む装置全体を意味する。ペディスタルユニット２０の詳細については後述する。
【００１４】
画像形成部は、感光体ドラム１（１Ｙ、１Ｍ、１Ｃ、１Ｋ）、感光体ドラム１表面を帯電させる帯電ローラ２（２Ｙ、２Ｍ、２Ｃ、２Ｋ）、現像装置３（３Ｙ、３Ｍ、３Ｃ、３Ｋ）を備える。また一次転写ローラ５（５Ｙ、５Ｍ、５Ｃ、５Ｋ）、レーザスキャナユニット８、中間転写ベルト６、二次転写ローラ９、二次転写対向ローラ７などを備える。
【００１５】
次に、画像形成動作について説明する。まず不図示の制御部が画像形成ジョブ信号を受信すると、ピックアップローラ１０、給送ローラ１１、搬送ローラ１２によってシートカセット１３に積載収納されたシートＳが、二次転写ローラ９と二次転写対向ローラ７から形成される二次転写部に送り込まれる。なお、シートカセット１３は、装置本体３０に着脱可能に構成されている。
【００１６】
一方、画像形成部においては、まず帯電ローラ２により感光体ドラム１表面が一様に帯電させられる。その後、不図示の外部機器等から送信された画像データに応じてレーザスキャナユニット８が各色の感光体ドラム１表面に不図示の光源からレーザ光を照射し、感光体ドラム１表面に静電潜像を形成する。
【００１７】
その後、現像装置３により感光体ドラム１表面に形成された静電潜像に各色のトナーを付着させ、感光体ドラム１表面にトナー像を形成する。感光体ドラム１表面に形成されたトナー像は、一次転写ローラ５にバイアスが印加されることで、中間転写ベルト６にそれぞれ一次転写される。これにより中間転写ベルト６表面にフルカラーのトナー像が形成される。
【００１８】
その後、中間転写ベルト６が周回移動することでトナー像が二次転写部に送られる。そして二次転写部において二次転写ローラ９にバイアスが印加されることで、中間転写ベルト６上のトナー像がシートＳに転写される。
【００１９】
次に、トナー像が転写されたシートＳは、定着装置１５において加熱、加圧処理が施され、これによりシートＳ上のトナー像がシートＳに定着される。その後、トナー像が定着されたシートＳは、排出ローラ１８によって排出部１７に排出される。
【００２０】
なお、シートＳ両面に画像を形成する場合、定着装置１５を通過したシートＳは、正逆回転可能な反転ローラ２２に搬送される。その後、反転ローラ２２を反対方向に回転させ、スイッチバック方式でシートＳの表裏を反転させる。その後、シートＳは、両面搬送路１６を通過して二次転写部に再度搬送される。その後、シートＳの裏面に対して上記同様に画像形成が行われる。
【００２１】
＜ペディスタルユニット＞
次に、ペディスタルユニット２０について説明する。
【００２２】
図１に示す様に、ペディスタルユニット２０は、シートＳを積載収容し、ペディスタルユニット２０に着脱可能なシートカセット２３と、ピックアップローラ２４と、給送ローラ２５をそれぞれ２つずつ備える。シートカセット２３に積載収納されたシートＳは、ピックアップローラ２４、給送ローラ２５によって二次転写ローラ９と二次転写対向ローラ７から形成される二次転写部に送り込まれる。
【００２３】
またペディスタルユニット２０の底面である底板５１には、４つのキャスター５２が設けられている。４つのキャスター５２は、画像形成装置Ａを移動させるとともに、不図示の回り止め機構によって車輪をロックして画像形成装置Ａを停止させる。
【００２４】
またペディスタルユニット２０は、ペディスタルユニット２０の本体に対して、回動軸６３を中心に回動して開閉可能な右扉６２を備える。右扉６２が開かれると、ペディスタルユニット２０内のシートＳの搬送路が外部に露出する。このため、シートＳのジャムが発生した際に右扉６２を開くことでシートＳを取り除きやすくなる。
【００２５】
ここでペディスタルユニット２０を含む画像形成装置ＡのシートＳの搬送路は、画像形成装置Ａを正面から見たときに右側に位置するため、装置本体３０の重心位置は右側に偏っている。また装置本体３０の重心位置は、開閉カバー６０や右扉６２を開いた際に右側にさらに偏る。この状態で装置本体３０を右側に移動させる外力が加わった場合、装置本体３０は右側へ転倒しやすくなる。
【００２６】
またシートカセット１３、２３にシートＳを満載した状態で、シートカセット１３、２３を引き出した場合、装置本体３０の重心位置は前側に偏る。このため、装置本体３０を前側に移動させる外力が加わった場合、装置本体３０は前側へ転倒しやすくなる。
【００２７】
そこで、画像形成装置Ａが傾いた際に画像形成装置Ａを支持し、転倒を防止するために、ペディスタルユニット２０の底面（装置本体３０の底面）には、支持装置としての転倒防止装置７０が取り付けられている。
【００２８】
＜転倒防止装置＞
次に、転倒防止装置７０について説明する。
【００２９】
図２は、転倒防止装置７０の斜視図であり、図３はその分解斜視図である。図４は、転倒防止装置７０のメイン鋼板７１にサブ鋼板８０を組み付けた状態の図である。図５は、転倒防止装置７０のカバー部材９０を底面側から見た斜視図である。
【００３０】
図２、図３に示す様に、転倒防止装置７０は、薄板鋼板で形成されたメイン鋼板７１（金属板）と、薄板鋼板で形成されたサブ鋼板８０（他の金属板）と、メイン鋼板７１とサブ鋼板８０を覆う樹脂製のカバー部材９０から構成されている。
【００３１】
メイン鋼板７１は、画像形成装置Ａが設置される設置面である床面に対向する対向部７２と、転倒防止装置７０の幅方向Ｗにおける対向部７２の両端部が略垂直方向に曲げられた２つの（一対の）第一曲げ部７３（第１曲げ部）を備える。なお、本実施形態において、対向部７２における第一曲げ部７３の間の幅方向Ｗの間隔Ｌは１００ｍｍである。
【００３２】
第一曲げ部７３は、幅方向Ｗと直交する奥行方向Ｖの先端部に向かって高さが低くなるようにカットされた傾斜エッジ７３ａと、後述するカバー部材９０のボス９１と嵌合する位置決め孔７３ｂを有する。
【００３３】
傾斜エッジ７３ａは、対向部７２に対して鉛直方向上側に延び、かつ水平方向においてペディスタルユニット２０の底面（装置本体の底面）の外郭よりも外側に突出する突出部である（図１参照）。つまり突出部は、第一曲げ部７３においてペディスタルユニット２０の底面の外郭よりも外側に突出する位置に形成された金属板の面が連続しない領域であり、水平面に対して傾斜した傾斜している。このように傾斜エッジ７３ａを備えることで装置の外郭から離れるにつれて高さが低くなるため、第一曲げ部７３の鉛直方向の長さが全て同じ構成と比較して、ユーザの歩行動作等の邪魔になりにくくなり、ユーザの動作の阻害を抑制することができる。
【００３４】
またメイン鋼板７１は、２つの第一曲げ部７３の上端部が垂直方向、つまり対向部７２に対して平行になるように曲げられた２つの第二曲げ部７４（第２曲げ部）を備える。またメイン鋼板７１は、２つの第二曲げ部７４の幅方向Ｗの両端部が垂直方向、つまり第一曲げ部７３に対して平行になるように曲げられた２つの第三曲げ部７５を備える。
【００３５】
第二曲げ部７４は、ペディスタルユニット２０の底板５１に設けられた後述する固定部材５３（被装着部）に装着される装着部である。また第二曲げ部７４には、後述する固定部材５３のスナップフィット部５３ｄと係合する係合孔７４ａが設けられている。
【００３６】
またメイン鋼板７１は、２つの第一曲げ部７３の奥行方向Ｖの一端面と接触するように、対向部７２の奥行方向Ｖの一端部が垂直方向に曲げられた補強曲げ部７６を備える。補強曲げ部７６は、第一曲げ部７３に強い応力が加わった際に、第一曲げ部７３が変形することを抑制する。
【００３７】
またメイン鋼板７１は、補強曲げ部７６と対向するように、対向部７２の奥行方向Ｖの他端部が垂直方向に曲げられた保護曲げ部７７を備える。保護曲げ部７７は、対向部７２の変形を抑制するとともに、メイン鋼板７１のエッジ部分に丸みを帯びさせてユーザの服などが引っ掛かってユーザの動作の邪魔になることを抑制する。
【００３８】
サブ鋼板８０は、メイン鋼板７１の第一曲げ部７３が変形することを抑制するための部材である。サブ鋼板８０は、メイン鋼板７１の対向部７２と平行なベース部８１と、ベース部８１の奥行方向Ｖの一端部が傾斜エッジ７３ａの傾斜角度と平行に曲げられた傾斜曲げ部８２を備える。斜面曲げ部８２には、後述するカバー部材９０の一部と係合する引っ掛け溝８２ａと引っ掛け穴８２ｂが形成されている。
【００３９】
またサブ鋼板８０は、ベース部８１及び斜面曲げ部８２の幅方向Ｗの両端部が下方に曲げられた曲げ締結部８３を備える。図４に示す様に、サブ鋼板８０は、メイン鋼板７１の２つの第一曲げ部７３の内側に挟まれるように配置され、曲げ締結部８３において３つのビス６５（６５ａ〜６５ｃ）によりメイン鋼板７１の第一曲げ部７３に対して連結される。
【００４０】
カバー部材９０は、少なくともメイン鋼板７１やサブ鋼板８０のエッジ部分、とりわけペディスタルユニット２０の底面である底板５１の外郭よりも外側に突出する部分を覆い、外部に露出しないようにする。このようにメイン鋼板７１のエッジ部分である傾斜エッジ７３ａやサブ鋼板８０のエッジ部分を覆うことで、ユーザの服などがメイン鋼板７１やサブ鋼板８０のエッジ部分に引っ掛かってユーザの歩行動作等を阻害することを抑制する。
【００４１】
また図５に示す様に、カバー部材９０は、メイン鋼板７１の位置決め孔７３ｂと嵌合し、カバー部材９０の奥行方向Ｖの位置を決めるボス９１を備える。また転倒防止装置７０を取り外す際に、ユーザが指を掛けるための指掛け部９２を備える。
【００４２】
またカバー部材９０の底面には、４つの突起９３が設けられている。この突起９３は、転倒防止装置７０が床面に接触する際に、メイン鋼板７１及びサブ鋼板８０に先立って床面に接触する。このため、画像形成装置Ａの金属部分が他の金属に接触することが抑制され、例えば画像形成装置Ａが金属製の台に設置されていた場合に、メイン鋼板７１やサブ鋼板８０を介して金属製の台にノイズが伝わることを抑制できる。
【００４３】
またカバー部材９０は、サブ鋼板８０の引っ掛け溝８２ａに引っ掛かるように係合する第一フック部９４と、引っ掛け穴８２ｂに引っ掛かるように係合する第二フック部９５を備える。第一フック部９４と第二フック部９５が、引っ掛け溝８２ａと引っ掛け穴８２ｂに係合することで、カバー部材９０のサブ鋼板８０に対する高さ方向Ｈの移動が規制される。
【００４４】
またカバー部材９０は、その内面から内側に延伸する複数のリブ９６を備える。リブ９６は、メイン鋼板７１の２つの第一曲げ部７３を外側から挟み込む。これによりユーザの足がカバー部材９０に当たるなど、カバー部材９０に衝撃が加わった際に、カバー部材９０の位置がずれにくくなっている。
【００４５】
＜転倒防止装置の取り付け構成＞
次に、転倒防止装置７０の取り付け構成について説明する。
【００４６】
図６は、ペディスタルユニット２０と転倒防止装置７０の斜視概略図である。図７は、ペディスタルユニット２０に装着される際の転倒防止装置７０の拡大斜視図である。図８は、ペディスタルユニット２０と転倒防止装置７０の断面図である。
【００４７】
図６〜図８に示す様に、ペディスタルユニット２０の底面である底板５１には、転倒防止装置７０が装着されて固定される固定部材５３（被装着部）が設けられている。固定部材５３は、コの字型のコの字形状部５３ａと、ペディスタルユニット２０の底板５１に対してビス６７により固定されるビス固定部５３ｂを有する。
【００４８】
コの字形状部５３ａは、底板５１と隙間をもって配置されており、この隙間は転倒防止装置７０を挿入する挿入部５３ｃとなっている。具体的には、挿入部５３ｃに対して転倒防止装置７０のメイン鋼板７１の第二曲げ部７４が挿入される。このとき、第三曲げ部７５が固定部材５３の内側面に面接触することで第二曲げ部７４の挿入方向が案内される。これにより転倒防止装置７０が固定部材５３に装着され、画像形成装置Ａの装置本体３０の底面に装着される。
【００４９】
またコの字形状部５３ａには、スナップフィット部５３ｄが設けられている。転倒防止装置７０の第二曲げ部７４が挿入部５３ｃに挿入されると、スナップフィット部５３ｄに形成された不図示のエンボスが第二曲げ部７４の係合孔７４ａに多少のガタを持って係合する。これにより転倒防止装置７０が固定部材５３から抜けにくくなるとともに、転倒防止装置７０の固定部材５３に対する奥行方向Ｖの位置が決められる。
【００５０】
なお、転倒防止装置７０の固定部材５３に対する幅方向Ｗの位置は、２つの第三曲げ部７５の外面で決められる。また転倒防止装置７０の固定部材５３に対する高さ方向Ｈの位置は、第三曲げ部７５の高さで決められる。
【００５１】
また転倒防止装置７０を固定部材５３に挿入する過程でスナップフィット部５３ｄの不図示のエンボスがメイン鋼板７１の第二曲げ部７４に接触すると、スナップフィット部５３ｄが弾性変形し、その弾性力によって第二曲げ部７４に対する摩擦力が大きくなる。その後、不図示のエンボスが第二曲げ部７４の係合孔７４ａに嵌合すると、スナップフィット部５３ｄの弾性変形部分が元に戻り摩擦力が小さくなる。このように転倒防止装置７０の挿入に際して、摩擦力の変化に伴うクリック感を与えることで、転倒防止装置７０の挿入完了をユーザに気付かせることができる。
【００５２】
＜転倒防止装置の挙動＞
次に、画像形成装置Ａに力が付与されたときの転倒防止装置７０の挙動について説明する。
【００５３】
図９は、画像形成装置Ａに力が付与されたときの転倒防止装置７０の挙動を示す模式図である。図９（ａ）に示す様に、画像形成装置Ａに力が付与されると、ペディスタルユニット２０が傾いて、転倒防止装置７０の先端側が床面に当たる。これにより転倒防止装置７０のメイン鋼板７１とサブ鋼板８０は弾性変形を始める。
【００５４】
なお、メイン鋼板７１の対向部７２は、通常の状態では床面に接触しておらず、一定の隙間を持っている。このため、転倒防止装置７０を着脱する際に床面との間で摩擦力が発生せず、転倒防止装置７０を着脱しやすい構成となっている。
【００５５】
ここで本実施形態では、画像形成装置Ａの重量とペディスタルユニット２０の重量を足し合わせた重量の２割の力を、画像形成装置Ａの最も高い位置で水平方向に付与した場合、メイン鋼板７１とサブ鋼板８０は弾性変形内に収まる剛性に設定している。以下、この力よりも大きい力が付与されて、メイン鋼板７１とサブ鋼板８０が塑性変形する場合について説明する。
【００５６】
まず上述した通り、メイン鋼板７１の第一曲げ部７３における上方の部分は、サブ鋼板８０に対してビス６５ｂ、６５ｃで連結されている。またメイン鋼板７１の第三曲げ部７５は、固定部材５３の内側面と当接している。従って、第一曲げ部７３は、サブ鋼板８０から離れる方向（曲げ方向と逆の方向）には変形しにくくなっている。
【００５７】
また第一曲げ部７３の傾斜エッジ７３ａにおいて、メイン鋼板７１がサブ鋼板８０に対してビス６５ａで連結された先端部と、第二曲げ部７４側の基端部は変形が生じにくくなっている。これに対して、傾斜エッジ７３ａの中央付近は近傍の部材との間でビス固定等がされておらず、変形が生じやすくなっている。従って、画像形成装置Ａに力が付与され、転倒防止装置７０に過度な力がかかると、傾斜エッジ７３ａの中央付近が塑性変形してコブＧ（図９（ｂ）参照）ができるおそれがある。
【００５８】
このように傾斜エッジ７３ａの中央付近が塑性変形してコブＧができると、傾斜エッジ７３ａは装置本体３０の底面の外郭から外側に突出しているため、このコブＧにユーザの衣服等が引っ掛かって歩行動作を阻害するおそれがある。またメイン鋼板７１やサブ鋼板８０において、ユーザが触れ得るエッジ部分の角やバリを潰して、エッジ部分に丸みを帯びさせる面打ち処理が施すことも可能である。しかしながら、傾斜エッジ７３ａの中央付近が塑性変形してコブＧができる場合、傾斜エッジ７３ａに面打ち処理を施した場合でも、エッジの丸みが伸びてしまい、上記同様にユーザの動作を阻害するおそれがある。
【００５９】
ここで傾斜エッジ７３ａの板厚を厚くすることや、絞り形状を形成することで、傾斜エッジ７３ａの強度を強くしてコブＧができることを抑制することができる。しかしながら、傾斜エッジ７３ａの強度を強くし過ぎると、第二曲げ部７４の周囲が塑性変形し、転倒防止装置７０の着脱に支障をきたすおそれがある。
【００６０】
そこで本実施形態では、傾斜エッジ７３ａをカバー部材９０で覆っている。これにより画像形成装置Ａに力が付与され、傾斜エッジ７３ａが塑性変形する場合でも、塑性変形した傾斜エッジ７３ａにユーザやユーザの衣服が触れることを抑制できる。従って、塑性変形した傾斜エッジ７３ａによってユーザの動作が阻害されることを抑制することができる。
【００６１】
なお、本発明において、カバー部材９０が覆う部分は必ずしも傾斜エッジ７３ａのみに限られない。即ち、メイン鋼板７１やサブ鋼板８０において、少なくてもペディスタルユニット２０の底面の外郭よりも外側に突出する部分を覆う構成であれば、上記同様の効果を得ることができる。
【００６２】
またカバー部材９０のリブ９６は、傾斜エッジ７３ａの中央部分に接触しないように配置されている。このため、傾斜エッジ７３ａの中央部分の塑性変形によってカバー部材９０が破損することを抑制することができる。
【００６３】
なお、本実施形態では、カバー部材９０がメイン鋼板７１やサブ鋼板８０よりも床面から離間した位置に配置される。しかし本発明はこれに限られず、カバー部材９０がメイン鋼板７１やサブ鋼板８０よりも床面に近接した位置に配置される構成としてもよい。この場合、画像形成装置Ａに力が付与されると、カバー部材９０はメイン鋼板７１とサブ鋼板８０が床面に接触するまで弾性変形し、さらに力が付与された場合にメイン鋼板７１やサブ鋼板８０が力を受ける構成とする。これによりカバー部材９０に過度の力がかかってカバー部材９０が破損することを抑制することができる。
【符号の説明】
【００６４】
３０…装置本体（画像形成装置の装置本体）
５１…底板（装置本体の底面）
５３…固定部材（被装着部）
５３ｄ…スナップフィット部
７０…転倒防止装置（支持装置）
７１…メイン鋼板（金属板）
７２…対向部
７３…第一曲げ部（第１曲げ部）
７３ａ…傾斜エッジ（傾斜面、突出部）
７４…第二曲げ部（第２曲げ部、装着部）
７４ａ…係合孔
８０…サブ鋼板（他の金属板）
９０…カバー部材
９６…リブ
Ａ…画像形成装置
【図１】
2020040308.tif 000003
【図２】
2020040308.tif 000004
【図３】
2020040308.tif 000005
【図４】
2020040308.tif 000006
【図５】
2020040308.tif 000007
【図６】
2020040308.tif 000008
【図７】
2020040308.tif 000009
【図８】
2020040308.tif 000010
【図９】
2020040308.tif 000011